【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
所定の被測定体情報に関する被測定体に応じた基準点の値を取得する基準点情報取得部と、
前記被測定体情報に関する被測定体の現在の値を取得する被測定体情報取得部と、
前記被測定体情報に関する被測定体の現在の値から前記基準点の値を差し引いた値に基づいて健康指標を演算する演算部と、を備えた、健康管理装置。
【請求項２】
前記基準点情報取得部は、基準となる体重（以下、基準体重）または当該基準体重からそのときの脂肪量を差し引いた除脂肪量（以下、基準除脂肪量）を基準点の値として取得し、
前記被測定体情報取得部は、被測定体の現在の体重を取得し、
前記演算部は、前記現在の体重から前記基準点の値を差し引いた値を、脂肪量の変化を示す健康指標（以下、脂肪量情報）として演算する、請求項１に記載の健康管理装置。
【請求項３】
前記基準点情報取得部は、被測定体の脂肪量を測定する基準装置で計測された実際の体脂肪量に関する実脂肪量情報と、前記実際の体脂肪量を計測したときの被測定体の体重とを用いて算出された除脂肪量を前記基準点の値として取得し、
前記演算部は、前記現在の体重から前記除脂肪量を差し引いた値を、現在の脂肪量を示す脂肪量情報として演算する、請求項２に記載の健康管理装置。
【請求項４】
前記実脂肪量情報は、前記基準装置で計測された実際の体脂肪量、前記実際の体脂肪量を計測したときの被測定体の体重から前記実際の脂肪量を差し引いた除脂肪量、前記実際の体脂肪量を計測したときの被測定体の体重に占める実際の体脂肪量の割合を示す体脂肪率および前記実際の体脂肪量を計測したときの被測定体の体重に占める除脂肪量の割合を示す除脂肪率のうちの少なくとも１つを含む、請求項３に記載の健康管理装置。
【請求項５】
前記被測定体の身長および体重の少なくとも１つを含む基準被測定体情報を取得する基準被測定体情報取得部と、
前記基準被測定体情報に基づいて、医学的に予め定められる値を基準点の値として演算する基準点演算部と、を備える、請求項２に記載の健康管理装置。
【請求項６】
前記基準被測定体情報取得部は、被測定体の身長を取得し、
前記基準点演算部は、前記被測定体の身長に基づいた標準体重を基準点の値として演算し、
前記演算部は、前記標準体重に対する前記現在の体重の変化分を、前記脂肪量情報として演算する、請求項５に記載の健康管理装置。
【請求項７】
前記基準被測定体情報取得部は、前記被測定体の身長および性別を取得し、
前記基準点演算部は、前記被測定体の身長に基づいた標準体重と性別に基づく係数値とを用いて前記標準体重における標準的な除脂肪量（以下、標準除脂肪量）を基準点の値として演算し、
前記演算部は、前記現在の体重から前記標準除脂肪量を差し引いた値を、現在の脂肪量を示す脂肪量情報として演算する、請求項６に記載の健康管理装置。
【請求項８】
前記基準被測定体情報取得部は、被測定体の脂肪量を測定する基準装置で計測された実際の体脂肪量に関する実脂肪量情報および前記実際の体脂肪量を計測したときの被測定体の体重を取得可能に構成され、
前記基準点演算部は、前記基準被測定体情報取得部に前記実脂肪量情報および前記実際の体脂肪量を測定したときの被測定体の体重が入力された場合、前記医学的に予め定められる値を基準点の値として演算する代わりに、前記実際の体脂肪量を計測したときの被測定体の体重から前記実脂肪量情報に基づく体脂肪量を差し引いた除脂肪量を前記基準点の値として演算し、
前記演算部は、前記現在の体重から前記除脂肪量を差し引いた値を、現在の脂肪量を示す脂肪量情報として演算する、請求項５〜７の何れかに記載の健康管理装置。
【請求項９】
前記基準装置は、水中体重測定装置、二重Ｘ線エネルギー吸収測定装置、Ｘ線ＣＴ装置およびＭＲＩ装置の何れかである、請求項３，４または８に記載の健康管理装置。
【請求項１０】
前記被測定体情報取得部で取得された被測定体の現在の体重を記憶する記憶部を備え、
前記基準点情報取得部は、前記記憶部に記憶された体重を前記基準点の値として取得する、請求項２〜９の何れかに記載の健康管理装置。
【請求項１１】
記憶部と、
被測定体の所定の被測定体部位のインピーダンスを取得するインピーダンス取得部と、
前記インピーダンスとその時の体重とに基づいて除脂肪量を演算する除脂肪量演算部とを備え、
前記記憶部は、演算された前記除脂肪量を前記基準除脂肪量として記憶し、
前記基準点情報取得部は、前記記憶部に記憶された前記基準除脂肪量を基準点の値として取得するとともに、前記被測定体情報取得部は、現在の体重を取得し、
前記演算部は、前記現在の体重から前記基準除脂肪量を差し引いた値を、現在の脂肪量を示す脂肪量情報として演算する、請求項２〜９の何れかに記載の健康管理装置。
【請求項１２】
被測定体の所定の部位のインピーダンスを取得するインピーダンス取得部を備え、
前記演算部は、前記脂肪量情報を演算する際、前記現在の体重から前記基準点の値を差し引いた値に前記インピーダンスに基づく補正係数を掛けるように構成される、請求項２〜１１の何れかに記載の健康管理装置。
【請求項１３】
被測定体の体格に応じて複数に区分された体格レベルを取得する体格レベル取得部を備え、
前記演算部は、前記脂肪量情報を演算する際、前記現在の体重から前記基準点の値を差し引いた値に前記体格レベルに応じた係数を掛けるように構成される、請求項２〜１２の何れかに記載の健康管理装置。
【請求項１４】
前記基準点情報取得部および前記被測定体情報取得部で取得された情報を記憶する記憶部を備え、
前記記憶部は、複数の被測定体ごとに記憶可能に構成される、請求項１〜１３の何れかに記載の健康管理装置。
【請求項１５】
被測定体の前記現在の体重を計測する体重計測部を備え、
前記被測定体情報取得部は、前記体重計測部で計測された体重を取得する、請求項２〜１４に記載の健康管理装置。
【請求項１６】
前記脂肪量情報に基づいた所定期間あたりのカロリーの摂取または消費に関する情報（以下、減量情報）を取得する減量情報取得部と、
前記減量情報と前記脂肪量情報とに基づいて所定期間経過後に予測される体重および脂肪量の少なくとも何れか一方を演算する予測値演算部と、を備えている、請求項２〜１５の何れかに記載の健康管理装置。
【請求項１７】
コンピュータを、
所定の被測定体情報に関する被測定体に応じた基準点の値を取得する基準点情報取得部、
前記被測定体情報に関する被測定体の現在の値を取得する被測定体情報取得部、および
前記被測定体情報に関する被測定体の現在の値から前記基準点の値を差し引いた値に基づいて健康指標を演算する演算部として機能させる、健康管理プログラム。
【請求項１８】
所定の被測定体情報に関する被測定体に応じた基準点の値を取得し、
前記被測定体情報に関する被測定体の現在の値を取得し、
前記被測定体情報に関する被測定体の現在の値から前記基準点の値を差し引いた値に基づいて健康指標を演算する、健康管理方法。
【手続補正２】
【補正対象書類名】明細書
【補正対象項目名】発明の名称
【補正方法】変更
【補正の内容】
【発明の名称】健康管理装置、健康管理プログラムおよび健康管理方法
【手続補正３】
【補正対象書類名】明細書
【補正対象項目名】０００５
【補正方法】変更
【補正の内容】
【０００５】
本発明は、このような事情に鑑みてなされたものであり、簡単な構成で個体に応じた健康指標を提供することができる健康管理装置、健康管理プログラムおよび健康管理方法を提供することを目的とする。